(57)【要約】【課題】周回部材の破断を検出することができる定着器、画像形成装置、および検知機構を提供する。【解決手段】筒形状を有し周面に沿って周回移動する周回部材の内周面に接触し、その周回部材の内から外に向けて付勢されている接触部材と、上記周回部材を間に挟んで上記接触部材に対向し、その周回部材から離れる方向に移動自在な対向部材と、上記周回部材から離れる方向の上記対向部材の動きを検知する検知器と、を備える。【選択図】図６
2017016046.tif 000002
【特許請求の範囲】
【請求項１】
筒形状を有し周面に沿って周回移動する周回部材と、
自身が発する熱を前記周回部材に伝えて加熱する加熱器と、
未定着な画像が表面に形成された記録媒体を前記周回部材の外周面との間に挟んで加圧することで該画像を該記録媒体に定着させる加圧部材と、
前記周回部材の内周面に接触し、該周回部材の内から外に向けて付勢されている接触部材と、
前記周回部材を間に挟んで前記接触部材に対向し、該周回部材から離れる方向に移動自在な対向部材と、
前記対向部材における前記方向への動きを検知する検知器と、
を備えたことを特徴とする定着器。
【請求項２】
前記対向部材の動きを拡大する拡大器を備え、
前記検知器は、前記拡大器によって拡大された動きを検知するものであることを特徴とする請求項１記載の定着器。
【請求項３】
前記対向部材と前記接触部材との組を、前記周回部材の筒形状の両端部それぞれに備え、
前記検知器が、前記両端部それぞれの前記対向部材に共通なものであり、
前記両端部それぞれの前記対向部材の動きを、共通な前記検知器まで伝達する伝達器を備えたことを特徴とする請求項１または２記載の定着器。
【請求項４】
記録媒体上に未定着な画像を形成する形成器と、
前記画像を前記記録媒体上に定着させる定着器とを備え、
前記定着器が、
筒形状を有し周面に沿って周回移動する周回部材と、
自身が発する熱を前記周回部材に伝えて加熱する加熱器と、
未定着な画像が表面に形成された記録媒体を前記周回部材の外周面との間に挟んで加圧することで該画像を該記録媒体に定着させる加圧部材と、
前記周回部材の内周面に接触し、該周回部材の内から外に向けて付勢されている接触部材と、
前記周回部材を間に挟んで前記接触部材に対向し、該周回部材から離れる方向に移動自在な対向部材と、
前記対向部材における前記方向への動きを検知する検知器と、
を備えたことを特徴とする画像形成装置。
【請求項５】
筒形状を有し周面に沿って周回移動する周回部材の内周面に接触し、該周回部材の内から外に向けて付勢されている接触部材と、
前記周回部材を間に挟んで前記接触部材に対向し、該周回部材から離れる方向に移動自在な対向部材と、
前記対向部材における前記方向への動きを検知する検知器と、
を備えたことを特徴とする検知機構。
【発明の詳細な説明】
【技術分野】
【０００１】
本発明は、定着器、画像形成装置、および検知機構に関する。
【背景技術】
【０００２】
従来、周回する定着ベルト（周回部材）に接触した加熱器を有し、加熱器が発した熱を定着ベルトに伝えて加熱するタイプの定着器および画像形成装置が知られている。このような定着器および画像形成装置では、定着ベルトに破断が生じた場合に加熱器の一部で加熱対象が失われ、加熱器が局所的に異常発熱する虞がある。そのため、加熱器で異常発熱が生じる前に定着ベルトの異常を検知することが求められている。
【０００３】
例えば、特許文献１には、ベルトが破断したとき、これを迅速に検出して、これに対する適切な処置を施せるように、ベルトに形成したベルトマークをセンサが一定時間検知しないとき、ベルトが破損したと判断する技術が開示されている。
【０００４】
また、例えば、特許文献２には、エンドレスベルトの破断を検出する為に、エンドレスベルトの幅方向一端側から他端側に向けてエンドレスベルトの周面近傍を通るように光を発する発光手段と、発光手段による光を受光する受光手段とを有し、受光手段による受光量が所定量未満であるときは、破断によって偏ったエンドレスベルトの盛り上がりで光が遮られたものとして加熱処理を禁止する技術が開示されている。
【先行技術文献】
【特許文献】
【０００５】
【特許文献１】特開２００２−２８７５４２号公報
【特許文献２】特開２０１４−１８２２５４号公報
【発明の概要】
【発明が解決しようとする課題】
【０００６】
しかし、特許文献１の技術では、ベルト上に複数のマークを一定間隔で配置する必要がある上に、単なるベルトウォークとベルト破断とを判別するためには高い位置精度でマークを配置する必要がある。
【０００７】
また、特許文献２の技術では、加熱されたエンドレスベルトの熱で受光手段が高温になると受光感度が低下するため、受光手段とエンドレスベルトとの距離を空ける必要がある。そのため、光を通す位置もエンドレスベルトの周面から離れることとなってベルト破断の検出が遅れてしまう。
【０００８】
このような従来技術に対し、周回部材の破断を検出する新たな技術が求められている。
【０００９】
本発明は、周回部材の破断を検出することができる定着器、画像形成装置、および検知機構を提供することを目的とする。
【課題を解決するための手段】
【００１０】
請求項１に係る定着器は、
筒形状を有し周面に沿って周回移動する周回部材と、
自身が発する熱を上記周回部材に伝えて加熱する加熱器と、
未定着な画像が表面に形成された記録媒体を上記周回部材の外周面との間に挟んで加圧することでその画像をその記録媒体に定着させる加圧部材と、
上記周回部材の内周面に接触し、その周回部材の内から外に向けて付勢されている接触部材と、
上記周回部材を間に挟んで上記接触部材に対向し、その周回部材から離れる方向に移動自在な対向部材と、
上記対向部材における上記方向への動きを検知する検知器と、
を備えたことを特徴とする。
【００１１】
請求項２に係る定着器は、
上記対向部材の動きを拡大する拡大器を備え、
上記検知器は、上記拡大器によって拡大された動きを検知するものであることを特徴とする。
【００１２】
請求項３に係る定着器は、
上記対向部材と上記接触部材との組を、上記周回部材の筒形状の両端部それぞれに備え、
上記検知器が、上記両端部それぞれの上記対向部材に共通なものであり、
上記両端部それぞれの上記対向部材の動きを、共通な上記検知器まで伝達する伝達器を備えたことを特徴とする。
【００１３】
請求項４に係る画像形成装置は、
記録媒体上に未定着な画像を形成する形成器と、
上記画像を上記記録媒体上に定着させる定着器とを備え、
上記定着器が、
筒形状を有し周面に沿って周回移動する周回部材と、
自身が発する熱を上記周回部材に伝えて加熱する加熱器と、
未定着な画像が表面に形成された記録媒体を上記周回部材の外周面との間に挟んで加圧することでその画像をその記録媒体に定着させる加圧部材と、
上記周回部材の内周面に接触し、その周回部材の内から外に向けて付勢されている接触部材と、
上記周回部材を間に挟んで上記接触部材に対向し、その周回部材から離れる方向に移動自在な対向部材と、
上記対向部材における上記方向への動きを検知する検知器と、
を備えたことを特徴とする。
【００１４】
請求項５に係る検知機構は、
筒形状を有し周面に沿って周回移動する周回部材の内周面に接触し、その周回部材の内から外に向けて付勢されている接触部材と、
上記周回部材を間に挟んで上記接触部材に対向し、その周回部材から離れる方向に移動自在な対向部材と、
上記対向部材における上記方向への動きを検知する検知器と、
を備えたことを特徴とする。
【発明の効果】
【００１５】
請求項１に係る定着器、請求項４に係る画像形成装置、および請求項５に係る検知機構によれば、周回部材の破断を検出することができる。
【００１６】
請求項２に係る定着器によれば、拡大器を備えない場合に較べて精度よく周回部材の破断を検出することができる。
【００１７】
請求項３に係る定着器によれば、両端部それぞれに検知器を備える場合に較べ、検知器の数を減らすことができる。
【図面の簡単な説明】
【００１８】
【図１】本発明の画像形成装置の一実施形態であるプリンタの概略構成図である。
【図２】定着器の断面図である。
【図３】定着器の一端を示す図である。
【図４】検知機構の構造を表す図である。
【図５】分裂した部分が端部側に移動した場合の検知動作を示す図である。
【図６】分裂した部分が中央側に移動した場合の検知動作を示す図である。
【図７】第１の移動パターンを示す図である。
【図８】第２の移動パターンを示す図である。
【図９】第３の移動パターンを示す図である。
【図１０】第４の移動パターンを示す図である。
【図１１】第５の移動パターンを示す図である。
【発明を実施するための形態】
【００１９】
本発明の実施形態について、以下図面を参照して説明する。
【００２０】
図１は、本発明の画像形成装置の一実施形態であるプリンタの概略構成図である。
【００２１】
図１に示すプリンタ１０はモノクロプリンタであり、プリンタ１０外で作成された、画像を表す画像信号が、不図示の信号ケーブル等を介して入力される。プリンタ１０には、このプリンタ１０内の各構成要素の動作を制御する制御部１１が備えられており、画像信号はこの制御部１１に入力される。そして、プリンタ１０では、この制御部１１の制御の下で画像信号に基づく画像の形成が行われる。
【００２２】
プリンタ１０の下部には用紙トレイ２１が備えられていて、用紙トレイ２１には、用紙Ｐが積み重なった状態に収容されている。用紙トレイ２１は、用紙Ｐの補給のために、引出し自在に構成されている。用紙トレイ２１には、紙の用紙Ｐに替えてＯＨＰシートやプラスチック紙や封筒などが本発明にいう記録媒体として収容されてもよい。図１では用紙Ｐが収容されているものとしてプリンタ１０の動作を説明するが、他の記録媒体が収容される場合であっても基本的な動作は同様となる。
【００２３】
用紙トレイ２１内の用紙Ｐは、ピックアップロール２２およびさばきロール２３により待機ロール２４へと送られる。待機ロール２４に到達した用紙Ｐは、搬送のタイミングが調整されてさらに搬送される。
【００２４】
このプリンタ１０には、矢印Ａで示す向きに回転する円柱状の感光体１２が備えられ、この感光体１２の周囲に、帯電器１３、露光器１４、現像器１５、転写器１６、および感光体クリーナ１７が配備されている。感光体１２、帯電器１３、露光器１４、現像器１５、および転写器１６を併せたものが本発明に言う形成器の一例に相当する。
【００２５】
帯電器１３は感光体１２の表面を帯電させ、露光器１４は、制御部１１から送られてくる画像信号に従って感光体１２の表面を露光して静電潜像を形成する。静電潜像は現像器１５により現像されてトナー像が形成される。
【００２６】
ここで、上記の待機ロール２４は、感光体１２上のトナー像が、転写器１６に対面した位置に達するタイミングに合わせてその位置に到達するように用紙Ｐを送り出す。そして、感光体１２上のトナー像は、転写器１６の作用を受け、その送り出されてきた用紙Ｐ上に転写される。これにより用紙Ｐ上に未定着なトナー像が形成されることとなる。
【００２７】
未定着なトナー像が形成された用紙Ｐは、さらに矢印Ｂ方向に進み、定着器１８による加熱および加圧を受けてその用紙Ｐ上にトナー像が定着される。その結果、用紙Ｐ上には定着トナー像からなる画像が形成される。この定着器１８が本発明の定着器の一実施形態に相当する。
【００２８】
定着器１８を通過した用紙Ｐは、排出器１９に向かって矢印Ｃ方向に進み、さらに、その排出器１９によってさらに矢印Ｄ方向に送られて排紙台２０上に排出される。
【００２９】
図２は、定着器の断面図である。
【００３０】
定着器１８には、加圧ロール１１０と加熱ロール１２０が備えられている。
【００３１】
加圧ロール１１０は、金属の芯材上をゴムが被覆したロールであり、矢印Ｅ方向に回転する。加圧ロール１１０が本発明にいう加圧部材の一例に相当する。
【００３２】
加熱ロール１２０は、図２の奥行き方向に延びた円筒形状の外周ベルト１２１を有し、その外周ベルト１２１内に、ヒータ１２２や、加圧パッド１２３などが収容されている。外周ベルト１２１が本発明にいう周回部材の一例に相当し、ヒータ１２２が本発明にいう加熱器の一実施形態に相当する。
【００３３】
加熱ロール１２０の外周ベルト１２１は、外周ベルト１２１の内周面に面状に接触したヒータ１２２によって加熱されながら矢印Ｆ方向に周回移動する。この外周ベルト１２１は加圧パッド１２３によって加圧ロール１１０に押しつけられ、外周ベルト１２１と加圧ロール１１０との間を用紙Ｐが通過することで用紙Ｐに力と熱が加えられる。
【００３４】
図３は、定着器の一端を示す図である。
【００３５】
定着器１８の端部には、外周ベルト１２１の端部方向への移動（ウォーク）を規制するサイドガイド１２４が設けられている。
【００３６】
ヒータ１２２は図３の左右方向（図２の奥行き方向）に長尺で、ヒータ１２２の長手方向の両端を介して電源に接続されている。ヒータ１２２はこの電源から電力が供給されることで発熱する。ヒータ１２２は、外周ベルト１２１の内周に接触するように湾曲した形状を有し、接触した外周ベルト１２１に熱を伝えて加熱する。また、定着器１８が冷めている状態から定着可能な状態になるまでに要するいわゆる立ち上げ時間を短縮するために、本実施形態では、ヒータ１２２および外周ベルト１２１として熱容量が小さいものが採用されている。そのため、定着器１８には、外周ベルト１２１に破断が生じた場合に、加熱対象を局所的に失ったヒータ１２２が局所的な異常発熱を生じる前に破断を検知する検知機構が備えられている。
【００３７】
図４は、検知機構の構造を表す図である。以下、図２〜図４を参照して検知機構の構造について説明する。
【００３８】
検知機構１３０は、外周ベルト１２１の内周面に押しバネ１３５で押し付けられて接触した接触部材１３１と、外周ベルト１２１を挟んで接触部材１３１に対向した対向部材１３２と、回転軸１３６を介して対向部材１３２と一体に繋がった腕部材１３３と、腕部材１３３の先端部１３７を検知することで間接的に対向部材１３２の動きを検知するフォトセンサ１３４を備えている。本実施形態ではフォトセンサ１３４として、発光部と受光部との間に検知対象が侵入して光を遮ることで検知する方式のものが採用されているものとする。
【００３９】
接触部材１３１は、本発明にいう接触部材の一例に相当し、対向部材１３２は、本発明にいう対向部材の一例に相当し、フォトセンサ１３４は、本発明にいう検知器の一例に相当する。
【００４０】
対向部材１３２から腕部材１３３に至る一体の部品は、回転軸１３６を中心に回転自在となっており、対向部材１３２がふらつくと誤検知になるので、図示が省略されたバネによって対向部材１３２は外周ベルト１２１の外周面に常に接触させられているものとする。このように対向部材１３２を外周ベルト１２１の外周面に接触させるバネとしては、回転軸１３６に仕込まれたトーションバネや腕部材１３３などを押し引きする押しバネ・引きバネなどが考えられる。また、バネ以外にもゴムや磁力で腕部材１３３などを押し引きして対向部材１３２を外周ベルト１２１の外周面に接触させてもよい。
【００４１】
図３に示すように、接触部材１３１はサイドガイド１２４の近くに設けられており、外周ベルト１２１の両端部それぞれに存在する。そして、各接触部材１３１に対向して、図４に示すように外周ベルト１２１の両端部それぞれに対向部材１３２が設けられている。両端部の対向部材１３２の動きは、それぞれ独立に回転軸１３６および腕部材１３３を介して伝達され、その伝達された動きは、共通のフォトセンサ１３４によって検知される。検知の詳細は後で説明するが、フォトセンサ１３４が共通であることで、部品点数が削減されコストも抑制されている。回転軸１３６および腕部材１３３を併せたものが本発明にいう伝達器の一例に相当する。
【００４２】
次に、検知機構１３０の動作について説明する。
【００４３】
外周ベルト１２１は周回移動を行っているので、異物の接触などで外周ベルト１２１が破断する場合は、外周ベルト１２１の周回方向に断裂が延びて外周ベルト１２１が複数に分裂するのが一般的である。そして、そのように分裂した外周ベルト１２１の各部分は、周回走行の安定性を失って中央側あるいは端部側に大きく移動する。
【００４４】
検知機構１３０は、分裂した部分がどちらに移動しても、以下説明する動作によって外周ベルト１２１の破断を検知することができる。
【００４５】
図５は、分裂した部分が端部側に移動した場合の検知動作を示す図である。
【００４６】
外周ベルト１２１の分裂した部分が端部側に移動した場合には、図５のパート（Ａ）に示すように、外周ベルト１２１の縁がサイドガイド１２４にぶつかることで蛇腹状の折れ曲がり（座屈）を生じる。また、そのような折れ曲がり（座屈）により、外周ベルト１２１の縁は厚く盛り上がることになる。その結果、図５のパート（Ｂ）に示すように外周ベルト１２１は、実線で表された通常状態から点線で表された異常状態となって対向部材１３２を押し上げ、回転軸１３６を中心として腕部材１３３が回転する。そして、腕部材１３３の先端部１３７がフォトセンサ１３４の間に入り込んで動きが検知される。このような対向部材１３２の動きの検知により、外周ベルト１２１の破断が検知される。
【００４７】
なお、回転軸１３６から突き出した長さは対向部材１３２よりも腕部材１３３の方が長いので、回転軸１３６および腕部材１３３によって対向部材１３２の動きが拡大される。このように対向部材１３２の動きが拡大されることにより、外周ベルト１２１の盛り上がりの検知精度が高められている。回転軸１３６および腕部材１３３を併せたものは、本発明にいう拡大器の一例に相当する。
【００４８】
図６は、分裂した部分が中央側に移動した場合の検知動作を示す図である。
【００４９】
外周ベルト１２１の分裂した部分が中央側に移動した場合には、図６のパート（Ａ）に示すように、外周ベルト１２１がサイドガイド１２４から大きく離れ、外周ベルト１２１の内側に収められていた接触部材１３１が露出することになる。その結果、図６のパート（Ｂ）に示すように、押しバネ１３５に押された接触部材１３１が、点線で表された外周ベルト１２１の通常位置を超えて外に突き出る。突き出た接触部材１３１は対向部材１３２を押し上げ、回転軸１３６を中心として腕部材１３３が回転し、腕部材１３３の先端部１３７がフォトセンサ１３４の間に入り込んで検知される。この場合も、対向部材１３２の動きの検知により、外周ベルト１２１の破断が検知される。
【００５０】
図５および図６を参照して説明したように、分裂した部分が中央側と端部側とのどちらに動いても、対向部材１３２から腕部材１３３までの動作は同様の動作となってフォトセンサ１３４で検知されることになる。また、図４に示す共通のフォトセンサ１３４は、両端の少なくとも一方で対向部材１３２が押し上げられるといずれかの腕部材１３３で光が遮られて動きを検知する。
【００５１】
ここで、外周ベルト１２１の分裂した各部分が移動する移動パターンについて検討し、検知機構１３０による破断検知の可否を確認する。
【００５２】
図７は、第１の移動パターンを示す図である。
【００５３】
図７に示す第１の移動パターンでは、外周ベルト１２１の分裂した各部分１２１ａ，１２１ｂが、いずれも端部側へと移動する。なお、図７および後で説明する図８〜図１１では、図示の都合上、外周ベルト１２１の長手方向を実際よりも短く図示している。
【００５４】
端部側へと移動した各部分１２１ａ，１２１ｂは、両端それぞれでサイドガイド１２４にぶつかって盛り上がる。その結果、盛り上がった各部分１２１ａ，１２１ｂによって両端それぞれで図５に示すように対向部材１３２が押し上げられるので、外周ベルト１２１の破断が検知される。
【００５５】
図８は、第２の移動パターンを示す図である。
【００５６】
図８に示す第２の移動パターンでは、外周ベルト１２１の分裂した各部分１２１ａ，１２１ｂのうち一方の部分１２１ｂだけが端部側へと移動し、もう一方は偏倚しない。この場合、端部側へと移動した部分１２１ｂだけがサイドガイド１２４にぶつかって盛り上がる。その結果、盛り上がった側だけで図５に示すように対向部材１３２が押し上げられるが、上述したように、図４に示す２つの対向部材１３２の片方だけが動いた場合でも共通のフォトセンサ１３４によって動きが検知されるので、第２の移動パターンでも外周ベルト１２１の破断が検知される。
【００５７】
図９は、第３の移動パターンを示す図である。
【００５８】
図９に示す第３の移動パターンでは、外周ベルト１２１の分裂した各部分１２１ａ，１２１ｂが、いずれも中央側へと移動する。そして、各部分１２１ａ，１２１ｂは、両端それぞれでサイドガイド１２４から大きく離れ、両端の接触部材１３１が露出する。その結果、両端の接触部材１３１によって両端それぞれで図６に示すように対向部材１３２が押し上げられるので、外周ベルト１２１の破断が検知される。
【００５９】
図１０は、第４の移動パターンを示す図である。
【００６０】
図１０に示す第４の移動パターンでは、外周ベルト１２１の分裂した各部分１２１ａ，１２１ｂのうち一方の部分１２１ａだけが中央側へと移動し、もう一方は偏倚しない。この場合、中央側へと移動した部分１２１ａだけがサイドガイド１２４から大きく離れ、両端のうち片方だけで接触部材１３１が露出する。その結果、露出した側だけで接触部材１３１によって図６に示すように対向部材１３２が押し上げられるが、上述したように、図４に示す２つの対向部材１３２の片方だけが動いた場合でも共通のフォトセンサ１３４によって動きが検知されるので、第４の移動パターンでも外周ベルト１２１の破断が検知される。
【００６１】
図１１は、第５の移動パターンを示す図である。
【００６２】
図１１に示す第５の移動パターンでは、外周ベルト１２１の分裂した各部分１２１ａ，１２１ｂのうち一方の部分１２１ａは中央側へと移動し、もう一方の部分１２１ｂは端部側へと移動する。中央側へと移動した部分１２１ａはサイドガイド１２４から大きく離れ、接触部材１３１が露出する。また、端部側へと移動した部分１２１ｂはサイドガイド１２４にぶつかって盛り上がる。その結果、両端の一方では図５に示すように対向部材１３２が外周ベルト１２１によって押し上げられ、他方では図６に示すように対向部材１３２が接触部材１３１によって押し上げられるが、上述したように、対向部材１３２から腕部材１３３までの動作は両端で同様の動作となってフォトセンサ１３４で検知されるので、第５の移動パターンでも外周ベルト１２１の破断が検知される。
【００６３】
このように、いずれの移動パターンでも外周ベルト１２１の破断が検知される。そして、そのように破断が検知された場合には、図１に示す制御部１１がヒータへの給電を停止させて異常発熱を防ぐ。
【００６４】
なお、上記説明では、対向部材と接触部材の組が定着器の両端それぞれに備えられた例が好適な例として示されているが、本発明にいう対向部材と接触部材は、一端のみに備えられたものであってもよい。
【００６５】
また、上記説明では、対向部材が外周ベルトに常に接触している例が好適な例として示されているが、本発明にいう対向部材は、周回部材に対して非接触であってもよい。但し、周回部材の破断時に、周回部材の盛り上がりや接触部材の突き出しが届く程度に周回部材に近接している必要がある。
【００６６】
また、上記説明では、両端の対向部材の動きを共通のフォトセンサで検知する例が好適な例として示されているが、本発明にいう検知器は、両端の対向部材それぞれに対して別々に設けられて各対向部材の動きを個別に検知するものであってもよい。また、本発明にいう検知器は、光の遮断を検知するフォトセンサ以外にも、遮断されていた光の開放を検知するフォトセンサであってもよいし、あるいは物理的な接触を検知するセンサなどであってもよい。
【００６７】
また、上記説明では、対向部材の動きを回動軸と腕部材で拡大する例が好適な例として示されているが、本発明では、拡大器は必須ではなく、対向部材の動きをそのまま検知器で検知する形態もあり得る。
【００６８】
また、上記説明した実施形態では、本発明の加熱器の一実施形態として、外周ベルト１２１の内周に接触する湾曲したヒータ１２２が示されているが、本発明にいう加熱器は、平板状のものであってもよく、外周ベルト１２１の外周に接触して加熱するものであってもよい。
【００６９】
また、上記実施形態ではモノクロのプリンタが例示されているが、本発明は、カラーの装置に応用されてもよいし、ファクシミリやコピー機や複合機に応用されてもよい。
【００７０】
また、上記実施形態では電子写真方式でトナー画像を形成する装置が例示されているが、本発明にいう形成器は、電子写真方式以外の方式で記録媒体上にトナー画像を描画するものであってもよい。
【符号の説明】
【００７１】
１０……プリンタ、  １２……感光体、  １３……帯電器、  １４……露光器、
１５……現像器、  １６……転写器、  １８……定着器、  １１０……加圧ロール、
１２０……加熱ロール、  １２１……外周ベルト、  １２２……ヒータ、
１２３……加圧パッド、  １２４……サイドガイド、  １３０……検知機構、
１３１……接触部材、  １３２……対向部材、  １３３……腕部材、
１３４……フォトセンサ
【図１】
2017016046.tif 000003
【図２】
2017016046.tif 000004
【図３】
2017016046.tif 000005
【図４】
2017016046.tif 000006
【図５】
2017016046.tif 000007
【図６】
2017016046.tif 000008
【図７】
2017016046.tif 000009
【図８】
2017016046.tif 000010
【図９】
2017016046.tif 000011
【図１０】
2017016046.tif 000012
【図１１】
2017016046.tif 000013